(57)【要約】【課題】排ガスの流れに対する取付角度のずれが許容値内に収まるように、ピトー管をダクトに取り付けることができるピトー管取付具を提供する。【解決手段】ピトー管取付具１ａは、ピトー管５０を挿入するための筒状の挿入部２ａを有し，ダクト等の側面に形成された分岐管５３ａのフランジ部５４に取り付けられる固定フランジ２と、フランジ部５４の外周面５４ａに設けられる凸状部３ａと、固定フランジ２の挿入部２ａの内部に設置されるスペーサ４と、固定フランジ２の周縁部２ｂに沿って設けられるガイド部３ｂと、スペーサ４の外面を押圧可能に，挿入部２ａの側面に形成されたネジ穴（図示せず）に螺入されるネジ５とを備えている。【選択図】図１
2011203098.tif 000002
【特許請求の範囲】
【請求項１】
ダクトの側面に形成された分岐管のフランジ部に装着され，前記分岐管から前記ダクト内に挿入されるピトー管を固定するピトー管取付具において、
前記フランジ部の外周面上に設けられる凸状部と、
前記ピトー管の挿入孔が設けられた円板状部材とを備え、
この円板状部材と前記フランジ部の平面部同士が当接された状態で前記フランジ部の前記外周面を覆うように前記円板状部材の周縁部に沿ってガイド部が形成されるとともに、
このガイド部は前記凸状部に係止して、前記フランジ部に対する前記円板状部材の取付角度を規制することを特徴とするピトー管取付具。
【請求項２】
ダクトの側面に形成された分岐管のフランジ部に装着され，前記分岐管から前記ダクト内に挿入されるピトー管を固定するピトー管取付具において、
前記ピトー管の挿入孔を有するとともに，外周面上に凸状部が設けられた円板状部材とを備え、
この円板状部材と前記フランジ部の平面部同士が当接された状態で前記外周面を覆うように前記フランジ部の周縁部に沿ってガイド部が形成されるとともに、
このガイド部は前記凸状部に係止して、前記フランジ部に対する前記円板状部材の取付角度を規制することを特徴とするピトー管取付具。
【請求項３】
前記ピトー管が挿入される筒状の挿入部が前記挿入孔に連通するように前記円板状部材に立設されたことを特徴とする請求項１又は請求項２に記載のピトー管取付具。
【請求項４】
円錐台状の外形を有し，中心軸を含む平面で分割される筒体からなるスペーサを備え、
このスペーサは、前記ピトー管を挟持可能に前記挿入部に設置されることを特徴とする請求項３に記載のピトー管取付具。
【請求項５】
中心軸を含む平面で分割される円筒体であって，前記ピトー管を挟持可能に前記挿入部に設置されるスペーサと、
このスペーサの外面を先端部で押圧可能に，前記挿入部内の側面に穿設されたネジ穴に螺入されるネジとを備えたことを特徴とする請求項３に記載のピトー管取付具。
【請求項６】
前記フランジ部に当接しない側の前記円板状部材の平面部に，前記周縁部においてガイド部が設けられていない箇所を示すマーキングが施されたことを特徴とする請求項１記載のピトー管取付具。
【発明の詳細な説明】
【技術分野】
【０００１】
本発明は、ダクト等の内部を移送される排ガスの流量測定に使用されるピトー管の取付具に係り、特に、ダクト等の側面に形成された分岐管のフランジ部に装着され，分岐管からダクト内に挿入されるピトー管を固定するピトー管取付具に関する。
【背景技術】
【０００２】
ダクト内の排ガスの流量を測定する場合、ピトー管が用いられることがある。ピトー管は構造が簡単なため、安価であり、取り扱いが容易である。また、ピトー管は細長い管形状をしているため、排ガスの流れを阻害することなく、その流量を正確に測定することができる。
【０００３】
ここで、ピトー管の構造と測定原理について図８及び図９を用いて説明する。
図８は一般的なＬ字型のピトー管の構造を示す縦断面図である。
図８に示すように、ピトー管５０は内管５１と外管５２で構成される２重管であり、内管５１と外管５２は先端５０ａ及び後端５０ｂにおいて互いに溶着されている。そして、ピトー管５０は、内管５１に連通する開口部５１ａ，５１ｂが先端５０ａ及び後端５０ｂに形成され、外管５２に連通する開口部５２ａ，５２ｂが先端５０ａから曲折部５０ｃまでの直線部５０ｄ及び後端５０ｂ近傍の側面に形成されている。また、開口部５１ｂ，５２ｂには図示しない圧力計がそれぞれ接続されている。
【０００４】
図９（ａ）は図８のピトー管がダクトに設置された状態を示す断面図であり、図９（ｂ）はピトー管の取付角度を示す断面図である。なお、図８に示した構成要素については同一の符号を付して、その説明を省略する。また、図９（ａ）はピトー管５０を含む平面で切断した状態を示しており、図９（ｂ）はピトー管５０の直線部５０ｄを含むとともに、図９（ａ）の切断面に直交する平面で切断した状態を示している。そして、ピトー管５０については、切断面を示すハッチングを省略している。
図９（ａ）に示すように、ピトー管５０は、ダクト５３の側面に設けられた分岐管５３ａに差し込まれ、矢印Ａで示す排ガスの流れに対して開口部５１ａを直面させた状態で固定される。そして、マノメータやブルドン管圧力計等からなり、開口部５１ｂ，５２ｂにそれぞれ導管５５ａ，５５ｂを介して接続される圧力計５６によって、開口部５１ａ，５２ａにおける排ガスの圧力が検出される。
【０００５】
図９（ａ）で示したように、ピトー管５０を配置した場合、ピトー管５０の先端５０ａにおいては排ガスの流れ（矢印Ａ）がせき止められるため、開口部５１ａでは全圧ｐ０が測定され、排ガスの流れ（矢印Ａ）に沿うように設けられた開口部５２ａでは静圧ｐが測定される。ここで、排ガスの密度をρとすると、排ガスの流速Ｕはベルヌーイの定理に基づいて全圧ｐ０と静圧ｐから以下のように求められる。
【０００６】
【数１】
2011203098.tif 000003
【０００７】
ピトー管５０を用いれば、式（１）によって排ガスの流速Ｕを簡単に求めることができる。ただし、先端５０ａから曲折部５０ｃまでの直線部５０ｄが排ガスの流れ（矢印Ａ）に対して平行をなすように、ピトー管５０が設置されていない場合、全圧ｐ０と静圧ｐの測定結果に誤差が生じてしまう。従って、上述の方法によって排ガスの流速Ｕを測定するには、ピトー管５０をダクト５３に対して、図９（ｂ）に示す取付角度のずれαが許容値以下となるように取り付ける必要がある。
このような課題を解決するべく、従来、全圧測定部（上述の例では開口部５１ａ）が試料ガスの流れに直面するようにピトー管をダクトに取り付ける技術について研究が行われている。そして、それらに関して既に幾つかの発明や考案が開示されている。
【０００８】
例えば、特許文献１には、「排ガス中のダイオキシン類採取用固定具」という名称で、ダクト測定孔から挿入される採取管類をダクト内の所定の位置に正しく安定して固定させることができるダイオキシン類採取用固定具に関する発明が開示されている。
特許文献１に開示された発明は、ピトー管を左右より支持するための仕切り板を有する凹状の受け部と、この受け部に固定された支柱と、ダクト側面に設けられたフランジ部と支柱を固定するための固定手段とを備えた構造となっている。
このような構造によれば、ピトー管をダクト内の所定の位置に安定して固定させて安全に排ガス試料を採取することができる。
【０００９】
特許文献２には、「ピトー管定設具」という名称で、主流管にピトー管を適正に取り付けて正確な流量測定を簡便に行うことが可能なピトー管の定設具に関する考案が開示されている。
特許文献２に開示された考案は、主流管の半径方向に横穴を穿ち、この横穴を中心として主流管に対して直角に密着固定されるマントルと、このマントルに密接固定されるとともに，ピトー管の上端が固着される下部ブロックとを備えた構造となっている。
このような構造によれば、マントルが横穴を中心として直角に固定されていることから、未熟練者であってもピトー管を容易に主流管の半径方向に取り付けることができる。
【００１０】
特許文献３には、「ピトー管」という名称で、煙突、煙道、ダクトなどの内部で移送される排ガスの流れに挿入された状態で使用されるピトー管に関する考案が開示されている。
特許文献３に開示された考案は、一端から静圧孔と全圧孔とを有する静圧管及び全圧管からなるピトー管が挿入される鞘部材と、静圧管及び全圧管と反対側であって，この鞘部材の端部から延び出す端部に閉鎖ループをなすように形成される折り曲げ部分とを備え、この折り曲げ部分がピトー管左端の９０度をなす折り曲げ部分と同一平面内にあることを特徴としている。
このような構造によれば、折り曲げ部分の向きからピトー管の向きを知ることができる。
【先行技術文献】
【特許文献】
【００１１】
【特許文献１】特開２０００−３２１１８２号公報
【特許文献２】実開昭５６−３１３２２号公報
【特許文献３】実開昭５８−８２６７３号公報
【発明の概要】
【発明が解決しようとする課題】
【００１２】
上述の従来技術である特許文献１に開示された発明においては、ピトー管を確実に固定できるものの、排ガスの流れに対してピトー管が正しい向きで設置されないおそれがあった。
【００１３】
また、特許文献２に開示された考案においては、主流管の軸方向に対するピトー管の取り付け角度が規制される構造ではないため、ピトー管が主流管に正しく取り付けられないおそれがあった。
【００１４】
さらに、特許文献３に開示された考案においては、ピトー管をダクト等に取り付ける際に、ピトー管の向きを容易に調整できないという課題があった。
【００１５】
本発明はかかる従来の事情に対処してなされたものであり、排ガスの流れに対する取付角度のずれが許容値内に収まるように、ピトー管をダクトに取り付けることができるピトー管取付具を提供することを目的とする。
【課題を解決するための手段】
【００１６】
上記目的を達成するため、請求項１記載の発明であるピトー管取付具は、ダクトの側面に形成された分岐管のフランジ部に装着され，分岐管からダクト内に挿入されるピトー管を固定するピトー管取付具において、フランジ部の外周面上に設けられる凸状部と、ピトー管の挿入孔が設けられた円板状部材とを備え、この円板状部材とフランジ部の平面部同士が当接された状態でフランジ部の外周面を覆うように円板状部材の周縁部に沿ってガイド部が形成されるとともに、このガイド部は凸状部に係止して、フランジ部に対する円板状部材の取付角度を規制することを特徴とするものである。
このような構造のピトー管取付具においては、平面部同士を当接させるようにして円板状部材を分岐管のフランジ部に装着すると、ガイド部によって、フランジ部に対する円板状部材の並進方向のずれが抑制されるとともに、フランジ部に対する円板状部材の回転が制限されるという作用を有する。そして、フランジ部の中心と凸状部を結ぶ直線がダクトの軸方向と一致するように凸状部が設けられるとともに、排ガスの流れの中に配置される直線部が，円板状部材を平面視して，ガイド部が設けられていない箇所の周縁部に対応する円弧の中点と，その円弧の中心とを結ぶ半径方向に対して平行となるようにピトー管が円板状部材に取り付けられた状態で、円板状部材が分岐管のフランジ部に装着される場合、ダクト内の排ガスの流れに対するピトー管の取付角度が規定されるという作用を有する。
【００１７】
また、請求項２に記載の発明であるピトー管取付具は、ダクトの側面に形成された分岐管のフランジ部に装着され，分岐管からダクト内に挿入されるピトー管を固定するピトー管取付具において、ピトー管の挿入孔を有するとともに，外周面上に凸状部が設けられた円板状部材とを備え、この円板状部材とフランジ部の平面部同士が当接された状態で外周面を覆うようにフランジ部の周縁部に沿ってガイド部が形成されるとともに、このガイド部は凸状部に係止して、フランジ部に対する円板状部材の取付角度を規制することを特徴とするものである。
このような構造のピトー管取付具においては、請求項１に記載の発明の作用に加えて、円板状部材の構造が簡単化されるという作用を有する。
【００１８】
請求項３に記載の発明は、請求項１又は請求項２に記載のピトー管取付具において、ピトー管が挿入される筒状の挿入部が挿入孔に連通するように円板状部材に立設されたことを特徴とするものである。
このような構造のピトー管取付具においては、ピトー管が固定フランジに対して直交した状態で挿入部によって保持されるという作用を有する。
【００１９】
請求項４に記載の発明は、請求項３に記載のピトー管取付具において、円錐台状の外形を有し，中心軸を含む平面で分割される筒体からなるスペーサを備え、このスペーサは、ピトー管を挟持可能に挿入部に設置されることを特徴とするものである。
このような構造のピトー管取付具においては、スペーサの外形が円錐台状をなしていることから、ピトー管を挟持した状態でスペーサを挿入部内に差し込むことにより、挿入部の内周面とスペーサの間にピトー管を保持するのに必要な摩擦力が発生するという作用を有する。
【００２０】
請求項５に記載の発明は、請求項３に記載のピトー管取付具において、中心軸を含む平面で分割される円筒体であって，ピトー管を挟持可能に挿入部に設置されるスペーサと、このスペーサの外面を先端部で押圧可能に，挿入部内の側面に穿設されたネジ穴に螺入されるネジとを備えたことを特徴とするものである。
このような構造のピトー管取付具においては、ネジを回転させて前進又は後退させることで、スペーサによるピトー管の保持力が調節されるという作用を有する。
【００２１】
請求項６に記載の発明は、請求項１記載のピトー管取付具において、フランジ部に当接しない側の円板状部材の平面部に，周縁部においてガイド部が設けられていない箇所を示すマーキングが施されたことを特徴とするものである。
このような構造のピトー管取付具においては、マーキングと凸状部の位置合わせを行うことにより、ガイド部が設けられていない箇所に凸状部が容易に配置されるという作用を有する。
【発明の効果】
【００２２】
本発明の請求項１に記載のピトー管取付具によれば、排ガスの流れに対するピトー管の取付角度のずれが許容値内に収まるように、ピトー管を正しい向きでダクトに取り付けることができる。
【００２３】
本発明の請求項２に記載のピトー管取付具によれば、請求項１に記載の発明の効果に加えて、円板状部材の構造が簡単であるため、容易に収納できるという効果を奏する。
【００２４】
本発明の請求項３に記載のピトー管取付具によれば、ピトー管を排ガスの流れに押された場合でもぶれることなく、正しい姿勢で保持することができる。
【００２５】
本発明の請求項４に記載のピトー管取付具によれば、挿入部が簡単な構造となるため、製造コストの削減を図ることができる。
【００２６】
本発明の請求項５に記載のピトー管取付具によれば、ネジを後退させてスペーサによるピトー管の保持力を弱めることにより、分岐管内に挿入されるピトー管の長さを変更することができる。また、ネジを前進させてスペーサによるピトー管の保持力を強めることで、ピトー管を再び分岐管に固定することができる。
【００２７】
本発明の請求項６に記載のピトー管取付具によれば、分岐管のフランジ部に円板状部材を装着する際の作業効率を高めることができる。
【図面の簡単な説明】
【００２８】
【図１】本発明の実施の形態に係るピトー管取付具の実施例１の外観斜視図である。
【図２】（ａ）は実施例１のピトー管取付具の平面図であり、（ｂ）は同図（ａ）のＸ−Ｘ線矢視断面図である。
【図３】（ａ）乃至（ｃ）はそれぞれ実施例１の固定フランジ、分岐管及びスペーサの外観斜視図である。
【図４】（ａ）及び（ｂ）は実施例１のピトー管取付具によりピトー管を設置した場合の取付角度を示す平面図である。
【図５】本発明の実施の形態に係るピトー管取付具の実施例２の外観斜視図である。
【図６】（ａ）は本発明の実施の形態に係るピトー管取付具の実施例３の平面図であり、（ｂ）は同図（ａ）のＸ−Ｘ線矢視断面図である。
【図７】（ａ）及び（ｂ）はそれぞれ実施例３の固定フランジ及び分岐管の外観斜視図である。
【図８】一般的なＬ字型のピトー管の構造を示す縦断面図である。
【図９】（ａ）は図８のピトー管がダクトに設置された状態を示す断面図であり、（ｂ）はピトー管の取付角度を示す断面図である。
【発明を実施するための形態】
【００２９】
本発明のピトー管取付具は、ダクト等の側面に形成された分岐管のフランジ部に装着された状態で使用されるものである。以下、その実施例について図１乃至図７を参照しながら具体的に説明する。
【実施例１】
【００３０】
実施例１のピトー管取付具の構造について図１乃至図３を用いて説明する（特に、請求項１、請求項３及び請求項５に対応）。
図１は本発明の実施の形態に係るピトー管取付具の実施例１の外観斜視図である。図２（ａ）は実施例１のピトー管取付具の平面図であり、図２（ｂ）は図２（ａ）のＸ−Ｘ線矢視断面図である。また、図３（ａ）乃至（ｃ）はそれぞれ実施例１の固定フランジ、分岐管及びスペーサの外観斜視図である。なお、これらの図ではダクトの図示を省略している。また、図８及び図９に示した構成要素については同一の符号を付して、その説明を省略する。
【００３１】
図１乃至図３に示すように、本実施例のピトー管取付具１ａは、ピトー管５０を挿入するための筒状の挿入部２ａを有し，ダクト（図示せず）の側面に形成された分岐管５３ａのフランジ部５４に装着される固定フランジ２と、フランジ部５４の外周面５４ａ上に設けられる凸状部３ａと、挿入部２ａの内部に設置されるスペーサ４と、固定フランジ２の周縁部２ｂに沿って帯状に形成されるガイド部３ｂと、挿入部２ａの側面に穿設されたネジ穴（図示せず）に螺入されるネジ５とを備えている。
【００３２】
固定フランジ２は、外径がフランジ部５４と略等しく，中央にピトー管５０の挿入孔２ｃが設けられた円板状部材であり、挿入孔２ｃと連通する挿入部２ａが平面部２ｄに立設されている。また、ガイド部３ｂは、固定フランジ２の平面部２ｅとフランジ部５４の平面部５４ｂ同士が当接された状態で凸状部３ａが設けられた箇所を除く外周面５４ａを略全周にわたって覆うとともに、凸状部３ａに係止してフランジ部５４に対する固定フランジ２の取付角度を規制するように形成されている。そして、凸状部３ａは、フランジ部５４の中心と凸状部３ａを結んだ直線がダクト５３の軸方向と一致するように設けられている。なお、固定フランジ２に対してピトー管５０は、固定フランジ２を平面視した場合に、ガイド部３ｂが設けられていない箇所の周縁部２ｂに対応する円弧の中点と，その円弧の中心とを結ぶ半径方向に対して、直線部５０ｄが平行となるように取り付けられる。
【００３３】
スペーサ４は、中心軸を含む平面で２つに分割される円筒体であり、その端部にはフランジ部４ａが設けられている。そして、スペーサ４の内周面の曲率半径はピトー管５０の外周面の半径よりも大きく、フランジ部４ａを除いた部分のスペーサ４の外周面の曲率半径は挿入部２ａの内周面の半径よりも小さい。なお、スペーサ４は完全な円筒体ではなく、ピトー管５０を両側から挟持できるように、側面の一部が切除されている。
また、挿入部２ａの側面２か所に穿設されたネジ穴（図示せず）に螺入されるネジ５，５は、挿入部２ａの内部へ出没し、スペーサ４の外面を押圧可能な構造となっている。
【００３４】
次に、ピトー管取付具１ａによってダクト５３に取り付けられたピトー管５０の取付角度αについて図４を用いて説明する。
図４（ａ）及び（ｂ）は実施例１のピトー管取付具１ａによりピトー管５０を設置した場合の取付角度を示す平面図である。なお、図４では、ガイド部３ｂを除いて固定フランジ部２の図示を省略している。また、図１乃至図３で示した構成要素については、同一の符号を付して、その説明を省略する。
図４（ａ）及び（ｂ）に示すように、平面部２ｅ（図２（ｂ）参照）を平面部５４ｂ（図２（ｂ）参照）に当接させた場合、フランジ部５４の外周面５４ａを略全周にわたって覆うガイド部３ｂによりフランジ部５４に対する固定フランジ２の並進方向の位置ずれが規制される。また、ガイド部３ｂが凸状部３ａに係止することによりフランジ部５４に対する固定フランジ２の回転が制限される。これにより、排ガスの流れ（矢印Ａ）に対するピトー管５０の取付角度が規定される。
【００３５】
すなわち、このような構造のピトー管取付具１ａにおいては、平面部２ｅを平面部５４ｂに当接させるようにして固定フランジ２を分岐管５３ａのフランジ部５４に装着する場合、ガイド部３ｂが、フランジ部５４に対する固定フランジ２の並進方向のずれを防ぐとともに、フランジ部５４に対する固定フランジ２の回転を制限するという作用を有する。また、挿入部２ａが、固定フランジ２に対して直交するようにピトー管５０を保持するという作用を有する。さらに、ネジ５を回転させて前進又は後退させることで、スペーサ４によるピトー管５０の保持力が調節されるという作用を有する。
【００３６】
本実施例では、特に、フランジ部５４に対する固定フランジ２の回転許容角度が±１０°以下となるように、凸状部３ａとガイド部３ｂが形成されている。従って、固定フランジ２をフランジ部５４に装着した場合、平面部２ｄ側から固定フランジ２を平面視して時計回り及び半時計回りのいずれの方向についてもダクト５３に対するピトー管５０の取付角度のずれが１０°以下となる。なお、フランジ部５４に対する固定フランジ２の回転許容角度は±１０°に限定されるものではなく、適宜変更可能である。例えば、固定フランジ２の回転許容角度が±１０°より小さくなるように凸状部３ａとガイド部３ｂを形成する場合には、ダクト５３に対するピトー管５０の取付角度のずれは、さらに小さくなる。すなわち、凸状部３ａとガイド部３ｂの寸法を調節することにより、ダクト５３に対するピトー管５０の取付角度のずれを所望の許容値内に収めることが可能である。
【００３７】
以上説明したように、本実施例のピトー管取付具１ａによれば、排ガスの流れに対する取付角度のずれが許容値内に収まるように、ピトー管５０をダクト５３に正しい向きで取り付けることができる。また、排ガスの流れに押されて姿勢がぶれることがなく、かつ、開口部５１ａが排ガスの流れに直面するようにピトー管５０を正しい向きで固定することができる。さらに、ネジ５を後退させてスペーサ４のピトー管５０に対する保持力を弱めることにより、分岐管５３ａ内に挿入されるピトー管５０の長さを変更することができる。その後、ネジ５を前進させてスペーサ４のピトー管５０に対する保持力を強めることで、ピトー管５０を再び分岐管５３ａに固定することができる。すなわち、本実施例のピトー管取付具１ａによれば、分岐管５３ａ内に挿入されるピトー管５０の長さを簡単に調節することができる。
【実施例２】
【００３８】
実施例２のピトー管取付具の構造について図５を用いて説明する（特に、請求項６に対応）。
図５は本発明の実施の形態に係るピトー管取付具の実施例２の外観斜視図である。なお、図１で示した構成要素については同一の符号を付して、その説明を省略する。
図５に示すように、本実施例のピトー管取付具１ｂは実施例１のピトー管取付具１ａに対し、周縁部２ｂにおいてガイド部３ｂが設けられていない箇所を示すマーキング６ａを固定フランジ２の平面部２ｄと挿入部２ａの側面に施したものである。
固定フランジ２を分岐管５３ａのフランジ部５４に装着する際、平面部２ｄ側から固定フランジ２を平面視すると、ガイド部３ｂの有無が見え難いため、ガイド部３ｂが設けられていない箇所と凸状部３ａとの位置合わせに手間取ることがある。これに対し、上記構造においては、マーキング６ａと凸状部３ａの位置合わせを行うだけで、ガイド部３ｂが設けられていない箇所に凸状部３ａが容易に配置される。従って、本実施例のピトー管取付具１ｂによれば、固定フランジ２のフランジ部５４に対する装着作業を効率よく行うことができる。
【００３９】
本実施例では、特に、固定フランジ２を平面視してガイド部３ｂが設けられていない箇所の周縁部２ｂに対応する円弧の中点と，固定フランジ２の中心とを結ぶようにマーキング６ａが施されている。従って、ピトー管５０を固定フランジ２に取り付ける際に、マーキング６ａを目印にすることによりピトー管５０の向きの調整を容易に行うことができる。この場合、図５に示すようにピトー管５０にもマーキング６ｂを施しておくと、上述の向きの調整がさらに容易となる。また、ピトー管５０の軸方向に直交するように複数本のマーキング６ｃを等間隔で施しておけば、分岐管５３ａ内に挿入されるピトー管５０の長さの調整を容易に行うことができる。
【実施例３】
【００４０】
実施例３のピトー管取付具の構造について図６及び図７を用いて説明する（特に、請求項２及び請求項４に対応）。
図６（ａ）は本発明の実施の形態に係るピトー管取付具の実施例３の平面図であり、（ｂ）は同図（ａ）のＸ−Ｘ線矢視断面図である。また、図７（ａ）及び（ｂ）はそれぞれ実施例３の固定フランジ及び分岐管の外観斜視図である。なお、図１乃至図３で示した構成要素については同一の符号を付して、その説明を省略する。
図６及び図７に示すように、本実施例のピトー管取付具１ｃは実施例１のピトー管取付具１ａにおいて、凸状部３ａが固定フランジ２に設けられ、ガイド部３ｂがフランジ部５４に形成されるとともに、ネジ５及びこのネジ５の端部によって外面を押圧されるスペーサ４に代えてスペーサ７を備えたことを特徴とする。
すなわち、固定フランジ２の外周面上に凸状部３ａが設けられるとともに、固定フランジ２の平面部２ｅとフランジ部５４の平面部５４ｂ同士が当接された状態で凸状部３ａが設けられた箇所を除く固定フランジ２の外周面を略全周にわたって覆い，かつ凸状部３ａに係止してフランジ部５４に対する固定フランジ２の取付角度を規制するように、ガイド部３ｂがフランジ部５４の周縁部に形成されている。そして、ガイド部３ｂが設けられていない箇所の周縁部に対応する円弧の中点とフランジ部５４の中心を結んだ直線は、ダクト５３の軸方向と一致している。なお、固定フランジ２に対してピトー管５０は、固定フランジ２を平面視した場合に、開口部５１ａを凸状部３ａに向けて取り付けられる。
【００４１】
スペーサ７は、中心軸を含む平面で２つに分割される筒体であり、フランジ部７ａが設けられた側の端部の外径が他方の端部の外径よりも大きくなるような略円錐台状をなしている。また、スペーサ７の内周面の曲率半径はピトー管５０の外周面の半径よりも大きく、スペーサ７のフランジ部７ａを除いた部分の外周面の曲率半径は挿入部２ａの内周面の半径よりも小さい。そして、スペーサ７は完全な筒状体ではなく、ピトー管５０を両側から挟持できるように、側面の一部が切除されている。
【００４２】
このような構造のピトー管取付具１ｃにおいては、平面部２ｅを平面部５４ｂに当接させるように固定フランジ２を分岐管５３ａのフランジ部５４に装着すると、ガイド部３ｂによりフランジ部５４に対する固定フランジ２の並進方向のずれが抑制されるという作用を有する。また、このとき、凸状部３ａがガイド部３ｂに係止するため、フランジ部５４に対する固定フランジ２の回転が制限される。さらに、挿入部２ａにより、ピトー管５０が固定フランジ２に対して直交した状態で保持される。また、スペーサ７はフランジ部７ａを除いて外形が略円錐台状をなしていることから、ピトー管５０を挟持した状態で挿入部２ａ内に差し込むことにより、挿入部２ａの内周面とスペーサ７の間にピトー管５０を保持するために必要な摩擦力が発生する。さらに、本実施例のピトー管取付具１ｃは実施例１のピトー管取付具１ａとは異なり、ネジ５を取り付ける必要がないため、挿入部２ａが簡単な構造となる。これにより、製造コストが削減される。加えて、固定フランジ２にはガイド部３ｂではなく、凸状部３ａが設けられており、固定フランジ２の構造が簡単である。従って、ピトー管取付具１ｃを使用しない場合に、固定フランジ２の収納が容易である。
【００４３】
以上説明したように、本実施例のピトー管取付具１ｃによれば、ピトー管５０をダクト５３に取り付ける際に、排ガスの流れに対する取付角度のずれを許容値内に収めることができる。また、ピトー管５０の向きと姿勢を正しい状態で保持することができる。さらに、スペーサ７のピトー管５０に対する保持力を、ネジ５による押し付け力を利用せずに、容易に調節することができる。
【産業上の利用可能性】
【００４４】
本発明の請求項１乃至請求項６に記載された発明は、ピトー管に限らず、試料採取管やプローブを各種配管に固定する場合に適用可能である。
【符号の説明】
【００４５】
１ａ〜１ｃ…ピトー管取付具  ２…固定フランジ  ２ａ…挿入部  ２ｂ…周縁部  ２ｃ…挿入孔  ２ｄ，２ｅ…平面部  ３ａ…凸状部  ３ｂ…ガイド部  ４…スペーサ  ４ａ…フランジ部  ５…ネジ  ６ａ〜６ｃ…マーキング  ７…スペーサ  ７ａ…フランジ部  ５０…ピトー管  ５０ａ…先端  ５０ｂ…後端  ５０ｃ…曲折部  ５０ｄ…直線部  ５１…内管  ５１ａ，５１ｂ…開口部  ５２…外管  ５２ａ，５２ｂ…開口部  ５３…ダクト  ５３ａ…分岐管  ５４…フランジ部  ５４ａ…外周面  ５４ｂ…平面部  ５５ａ，５５ｂ…導管  ５６…圧力計      
【図１】
2011203098.tif 000004
【図２】
2011203098.tif 000005
【図３】
2011203098.tif 000006
【図４】
2011203098.tif 000007
【図５】
2011203098.tif 000008
【図６】
2011203098.tif 000009
【図７】
2011203098.tif 000010
【図８】
2011203098.tif 000011
【図９】
2011203098.tif 000012